(57)【特許請求の範囲】
【請求項１】
アルカリ可溶性樹脂、架橋剤、酸発生剤を含む化学増幅型ネガ型感放射線性樹脂組成物において、前記アルカリ可溶性樹脂が、（Ａ）下記一般式（Ｉ）で表される化合物を単量体の一成分とするアルカリ可溶性樹脂、及び（Ｂ）ノボラック樹脂からなることを特徴とする化学増幅型ネガ型感放射線性樹脂組成物。
【化１】
0003974718.tif 000006
（式中、Ｒは水酸基または炭素数１〜４のアルキル基を表し、ｎは０または１〜３の整数を表し、ｎが２または３のときには、各Ｒは同一でも異なるものでもよい。）
【請求項２】
請求項１記載の感放射線性樹脂組成物において、アルカリ可溶性樹脂（Ａ）が上記一般式（Ｉ）で表される化合物とフェノール類とをホルマリンなどのアルデヒド類で重縮合することにより得られたものであることを特徴とする化学増幅型ネガ型感放射線性樹脂組成物。
【請求項３】
請求項１記載の感放射線性樹脂組成物において、上記一般式（Ｉ）で表される化合物の割合が全アルカリ可溶性樹脂中において０．１〜４０重量％であることを特徴とする化学増幅型ネガ型感放射線性樹脂組成物。
【発明の詳細な説明】
【０００１】
【発明の属する技術分野】
本発明は、半導体デバイスや液晶表示装置等を製造するための、さらに詳しくは、良好なパターンを形成し、特に基板との密着性に優れ、かつ剥離液で容易に除去することのできる感放射線性樹脂組成物に関するものである。
【０００２】
【従来の技術】
従来からＩＣやＬＳＩなどの半導体デバイスや液晶表示装置などの製造プロセスにおいては、シリコン基板やアルミニウム、モリブデン、クロムなどの金属膜基板、またＩＴＯなどの金属酸化膜基板上に感放射線性樹脂（フォトレジスト）の薄膜を形成し、このフォトレジスト膜をマスクパターンを介して紫外線などにより照射した後現像し、得られたフォトレジストのパターンをマスクとして基板をエッチングすることにより微細パターンを形成することが行われている。
【０００３】
従来このようなフォトリソグラフィーにおいて用いられる感放射線性樹脂組成物としては種々のものが提案されており、一例を挙げると、ポジ型では、アルカリ可溶性ノボラック樹脂と感光成分であるキノンジアジド基含有化合物を組み合わせたもの（特開平７−１２０９１４）、ネガ型では、アルカリ可溶性ノボラック樹脂と架橋剤としてアルコキシメチル化メラミン、酸発生剤としてハロゲン化トリアジンを組み合わせたもの（特開平５−３０３１９６）などがある。
ところで、フォトレジストを用いて基板を精度よくエッチングするためには、レジストパターンと基板との高い密着性が要求される。レジストパターンと基板との密着性を改善する方法として、プロセス的には、現像により得られたフォトレジストのパターンをベーク（加熱処理）する、いわゆるポストベークが提案され、実施されている。また、材料面からはベンゾイミダゾール類、ポリベンゾイミダゾール類などの密着性向上剤をポジ型フォトレジストに含有させる（特開平６−２７６５７）、或いはベンゾトリアゾール類をネガ型フォトレジストに含有させる（特開平８−３３９０８７）など、感放射線性樹脂組成物に密着性向上剤を添加することが提案されている。
【０００４】
しかしながら、レジストと基板との密着性改善のためにポストベークを行った場合、特にネガ型フォトレジストでは、このポストベークによりその後のフォトレジストの剥離が困難になることは広く知られている。また、ポジ型レジストでは一般的にフォトレジストが剥離液に溶解しながら剥離されていくのに対して、ネガ型レジストでは通常フォトレジストが膨潤し、溶解せずに剥がれるように剥離されるが、このように剥がれるようにフォトレジストが剥離されると、これらが基板に再付着してパターン欠陥の原因ともなるという問題もある。また、特にＩＴＯ（Ｉｎｄｉｕｍ  Ｔｉｎ  Ｏｘｉｄｅ）などの基板は、空気中のアミン等の塩基性成分を吸収し、これにより、露光によってフォトレジスト中に発生した酸が失活し、フォトレジストと基板の界面でパターンに食い込みが生じるという問題がある。そこで、良好なレジストパターンを形成することができると共に、基板に対する高い密着性を有し、かつ剥離液等に容易に溶解し得る高い剥離性を有するフォトレジストが望まれていた。
【０００５】
【発明が解決しようとする課題】
本発明は、アルカリ可溶性樹脂を含有するネガ型感放射線性樹脂組成物において、シリコン基板、金属膜基板および金属酸化膜基板などの基板上に、アンダーカットやフッティングがなく良好なパターンを形成することができ、密着性向上のために現像後の加熱処理をおこなった後でも剥離液により容易に溶解剥離させることのできるネガ型感放射線性樹脂組成物を提供することを目的とする。
【０００６】
【課題を解決するための手段】
本発明者らは、鋭意検討の結果、アルカリ可溶性樹脂を含有する感放射線性樹脂組成物に、アルカリ可溶性樹脂として、下記一般式（Ｉ）で表される化合物を単量体の一成分とするアルカリ可溶性樹脂（以下、「アニリン変成樹脂」ともいう。）を含有せしめることにより上記目的を達成することができることを見い出して、本発明を成したものである。
すなわち、本発明は、アルカリ可溶性樹脂、架橋剤、酸発生剤を含む化学増幅型ネガ型感放射線性樹脂組成物において、前記アルカリ可溶性樹脂が、（Ａ）下記一般式（Ｉ）で表される化合物を単量体の一成分とするアルカリ可溶性樹脂、及びノボラック樹脂からなることを特徴とする化学増幅型ネガ型感放射線性樹脂組成物である。
【化２】
0003974718.tif 000002
（式中、Ｒは水酸基または炭素数１〜４のアルキル基を表し、ｎは０または１〜３の整数を表し、ｎが２または３のときには、各Ｒは同一でも異なるものでもよい。）
【０００７】
本発明で用いられるアニリン変成樹脂としては、上記一般式（Ｉ）で表わされる化合物とフェノール類とを、ホルマリンなどのアルデヒド類で重縮合することによって得られるものが最も好ましいものであるので、この重縮合アニリン変性樹脂を含有する感放射線性樹脂組成物について、以下本発明を更に詳細に説明する。
【０００８】
まず、アニリン変成樹脂を構成する単量体成分として用いられる、一般式（Ｉ）で表わされる化合物としては、アニリン、２，３−ジメチルアニリン、２，４−ジメチルアニリン、２，５−ジメチルアニリン、２，６−ジメチルアニリン、３，４−ジメチルアニリン、３，５−ジメチルアニリン、２，６−ジエチルアニリン、２，６−ジイソプロピルアニリン、３，５−ジ−tert−ブチルアニリン、２，４，６−トリメチルアニリン、２，４，６−トリ−tert−ブチルアニリン等が挙げられる。これらの化合物は、単独で或いは２種以上の混合物として用いることができる。
【０００９】
また、上記重縮合樹脂の原料として用いられるフェノール類としては、従来アルカリ可溶性樹脂を形成するために用いられていたフェノール類のいずれをも用いることができる。これらフェノール類を具体的に例示すると、フェノール、ｐ−クレゾール、ｍ−クレゾール、ｏ−クレゾール、２，３−ジメチルフェノール、２，４−ジメチルフェノール、２，５−ジメチルフェノール、２，６−ジメチルフェノール、３，４−ジメチルフェノール、３，５−ジメチルフェノール、２，３，４−トリメチルフェノール、２，３，５−トリメチルフェノール、３，４，５−トリメチルフェノール、２，４，５−トリメチルフェノール、メチレンビスフェノール、メチレンビスｐ−クレゾール、レゾルシン、カテコール、２−メチルレゾルシン、４−メチルレゾルシン、ｏ−クロロフェノール、ｍ−クロロフェノール、ｐ−クロロフェノール、２，３−ジクロロフェノール、ｍ−メトキシフェノール、ｐ−メトキシフェノール、ｐ−ブトキシフェノール、ｏ−エチルフェノール、ｍ−エチルフェノール、ｐ−エチルフェノール、２，３−ジエチルフェノール、２，５−ジエチルフェノール、ｐ−イソプロピルフェノール、α−ナフトール、β−ナフトールなどが挙げられる。これらの化合物は、単独でまたは２種以上を組み合わせて用いることができる。
【００１０】
更に、アルデヒド類としては、ホルマリンの他、パラホルムアルデヒデド、アセトアルデヒド、ベンズアルデヒド、ヒドロキシベンズアルデヒド、クロロアセトアルデヒドなどを単独または複数の混合で用いることができる。
【００１１】
本発明で用いられる重縮合アニリン変成樹脂は、公知のノボラック型フェノール樹脂と同様の方法、すなわちフェノール類等とアルデヒド類とを酸触媒共存下で昇温し、反応させることにより容易に得ることができる。具体的には、本発明に係るアニリン変性樹脂は、通常フェノール類１００重量部に対して、一般式（Ｉ）で表される化合物０．１〜６０重量部、アルデヒド類１０〜２０重量部、蓚酸１〜３重量部の割合で混合し、反応温度８５〜９５℃で最低４時間反応させることにより製造される。
【００１２】
また、本発明に係るアニリン変性樹脂としては、重量平均分子量が５００〜１０，０００、好ましくは１，０００〜５，０００のものを好適に使用できる。
【００１３】
得られたアニリン変成樹脂はアニリン未変成の従来公知のアルカリ可溶性樹脂と組み合わせて使用される。アニリン変成樹脂とともに用いることができるアルカリ可溶性樹脂としては、上記フェノール類の少なくとも１種と、アルデヒド類の少なくとも１種との重縮合により得られるノボラック樹脂が好ましい。一般式（Ｉ）で表わされる化合物の全アルカリ可溶性樹脂中の含有量は、０．１〜４０重量％が好ましく、更に好ましくは、１〜３０重量％である。
【００１４】
本発明のアニリン変成樹脂を含有する感放射線性樹脂組成物は、化学増幅型ネガ型感放射線性樹脂組成物であるが、本発明ではないものの、前記アニリン変性樹脂はポジ型の感放射線性樹脂組成物に添加されてもよい。ポジ型感放射線性樹脂組成物としては、感光剤としてキノンジアジド基を含む化合物を用いる、いわゆるキノンジアジド−ノボラックタイプの感放射線性樹脂組成物が代表的なものとして挙げられる。このキノンジアジド−ノボラックタイプの感放射線性樹脂組成物には、アルカリ可溶性樹脂として、上記重縮合アニリン変性樹脂、及び、必要に応じノボラック樹脂のようなキノンジアジド−ノボラック系レジストで用いられている公知のアルカリ可溶性樹脂が用いられる。
【００１５】
また、キノンジアジド基を含む感光剤としては、従来キノンジアジド−ノボラック系レジストで用いられている公知の感光剤のいずれのものをも用いることができる。この感光剤としては、ナフトキノンジアジドスルホン酸クロリドやベンゾキノンジアジドスルホン酸クロリドと、この酸クロリドと縮合反応可能な官能基を有する低分子化合物または高分子化合物とを反応させることによって得られた化合物が好ましい。ここで酸クロリドと縮合可能な官能基としては水酸基、アミノ基等が挙げられるが、特に水酸基が好適である。水酸基を含む酸クロリドと縮合可能な化合物としては、例えば、ハイドロキノン、レゾルシン、２，４−ジヒドロキシベンゾフェノン、２，３，４−トリヒドロキシベンゾフェノン、２，４，６−トリヒドロキシベンゾフェノン、２，４，４’−トリヒドロキシベンゾフェノン、２，３，４，４’−テトラヒドロキシベンゾフェノン、２，２’，４，４’−テトラヒドロキシベンゾフェノン、２，２’，３，４，６’−ペンタヒドロキシベンゾフェノン等のヒドロキシベンゾフェノン類、ビス（２，４−ジヒドロキシフェニル）メタン、ビス（２，３，４−トリヒドロキシフェニル）メタン、ビス（２，４−ジヒドロキシフェニル）プロパン等のヒドロキシフェニルアルカン類、４，４’，３”，４”−テトラヒドロキシ−３，５，３’，５’−テトラメチルトリフェニルメタン、４，４’，２”，３”，４”−ペンタヒドロキシ−３，５，３’，５’−テトラメチルトリフェニルメタン等のヒドロキシトリフェニルメタン類等を挙げることができる。これらは単独で用いてもよいし、また２種以上を組合わせて用いてもよい。
キノンジアジド基を含む感光剤の配合量は、アルカリ可溶性樹脂１００重量部当たり、通常５〜５０重量部、好ましくは、１０〜４０重量部である。
【００１６】
本発明のネガ型感放射線性樹脂組成物の代表的なものとしては、アルカリ可溶性べ一ス樹脂、架橋剤、酸発生剤から成る３成分系化学増幅型ネガ型レジストが挙げられる。
まず、アルカリ可溶性べ一ス樹脂としては、上記重縮合アニリン変性樹脂及び必要に応じノボラック樹脂のような従来３成分系化学増幅型ネガ型レジストでアルカリ可溶性べ一ス樹脂として用いられているものが用いられる。
【００１７】
また、この化学増幅型ネガ型レジストの架橋剤としては、従来化学増幅型ネガ型レジストの架橋剤として用いられているものはいずれのものをも用いることができる。架橋剤の例としては、メラミン系、グアナミン系および尿素系低分子誘導体のほかに、アルコキシアルキル化メラミン樹脂、アルコキシアルキル化ベンゾグアナミン樹脂、アルコキシアルキル化尿素樹脂などのアルコキシアルキル化アミノ樹脂を好ましいものとして挙げることができる。これらアルコキシアルキル化アミノ樹脂の具体例としては、メトキシメチル化メラミン樹脂、エトキシメチル化メラミン樹脂、プロポキシメチル化メラミン樹脂、ブトキシメチル化メラミン樹脂、エトキシメチル化ベンゾグアナミン樹脂、メトキシメチル化尿素樹脂、エトキシメチル化尿素樹脂、プロポキシメチル化尿素樹脂、ブトキシメチル化尿素樹脂などが挙げられる。また、メラミン系、グアナミン系および尿素系低分子誘導体としては、メトキシメチル化メラミン、エトキシメチル化メラミン、プロポキシメチル化メラミン、ブトキシメチル化メラミン、ヘキサメチロールメラミン、アセトグアナミン、ベンゾグアナミン、メチル化ベンゾグアナミン、モノメチロール尿素、ジメチロール尿素が挙げられる。これらの中でもメラミン系、ベンゾグアナミン系低分子誘導体、アルコキシアルキル化ベンゾグアナミン樹脂、アルコキシアルキル化メラミン樹脂が好ましい。
これら架橋剤は、単独でまたは２種以上混合して使用することができ、その配合量は、アルカリ可溶性樹脂１００重量部当たり、通常２〜５０重量部、好ましくは、５〜３０重量部である。
【００１８】
また、酸発生剤としては、オニウム塩では、ヨードニウム塩、スルホニウム塩、ジアゾニウム塩、アンモニウム塩、ピリジニウム塩等が、ハロゲン含有化合物では、ハロアルキル基含有炭化水素化合物、ハロアルキル基含有複素環式化合物等が、ジアゾケトン化合物では、１，３−ジケト−２−ジアゾ化合物、ジアゾベンゾキノン化合物、ジアゾナフトキノン化合物等が、スルホン化合物では、β−ケトスルホン、β−スルホニルスルホン等が、スルホン酸化合物では、アルキルスルホン酸エステル、ハロアルキルスルホン酸エステル、アリールスルホン酸エステル、イミノスルホナート等が挙げられる。これらの酸発生剤は、単独でまたは２種以上混合して使用することができ、その配合量は、アルカリ可溶性樹脂１００重量部当たり、通常０．１〜１０重量部、好ましくは、０．５〜５．０重量部である。
【００１９】
更に、化学増幅型ネガ型レジストには、添加剤として塩基性化合物を配合することが好ましい。この塩基性化合物は、露光により酸発生剤から生じた酸のレジスト膜中における拡散現象を制御し、解像度を向上させたり、露光裕度等を向上させることができる。このような塩基性化合物としては、第１級、第２級、第３級の脂肪族アミン類、芳香族アミン類、複素環アミン類、アルキル基、アリール基などを有する窒素化合物、アミド基またはイミド基含有化合物等を挙げることが出来る。
【００２０】
本発明の感放射線性樹脂組成物を溶解させる溶剤としては、エチレングリコールモノメチルエーテル、エチレングリコールモノエチルエーテル等のエチレングリコールモノアルキルエーテル類、エチレングリコールモノメチルエーテルアセテート、エチレングリコールモノエチルエーテルアセテート等のエチレングリコールモノアルキルエーテルアセテート類、プロピレングリコールモノメチルエーテル、プロピレングリコールモノエチルエーテル等のプロピレングリコールモノアルキルエーテル類、プロピレングリコールモノメチルエーテルアセテート、プロピレングリコールモノエチルエーテルアセテート等のプロピレングリーコールモノアルキルエーテルアセテート類、乳酸メチル、乳酸エチル等の乳酸エステル類、トルエン、キシレン等の芳香族炭化水素類、メチルエチルケトン、２−ヘプタノン、シクロヘキサノン等のケトン類、Ｎ，Ｎ−ジメチルアセトアミド、Ｎ−メチルピロリドン等のアミド類、γ−ブチロラクトン等のラクトン類等を挙げることができる。これらの溶剤は、単独でまたは２種以上を混合して使用される。
【００２１】
本発明の感放射線性樹脂組成物には、必要に応じ染料、接着助剤および界面活性剤等を配合することができる。染料の例としては、メチルバイオレット、クリスタルバイオレット、マラカイトグリーン等が、接着助剤の例としては、アルキルイミダゾリン、酪酸、アルキル酸、ポリヒドロキシスチレン、ポリビニルメチルエーテル、ｔ−ブチルノボラック、エポキシシラン、エポキシポリマー、シラン等が、界面活性剤の例としては、非イオン系界面活性剤、例えばポリグリコール類とその誘導体、すなわちポリプロピレングリコールまたはポリオキシエチレンラウリルエーテルなど、フッ素含有界面活性剤、例えばフロラード（商品名、住友３Ｍ社製）、メガファック（商品名、大日本インキ化学工業社製）、スルフロン（商品名、旭ガラス社製）、または有機シロキサン界面活性剤、例えばＫＰ３４１（商品名、信越化学工業社製）が挙げられる。
【００２２】
【実施例】
以下に本発明をその実施例をもって説明するが、本発明の態様はこれらの実施例に限定されるべきものではない。
【００２３】
合成例１（アニリン変成樹脂Ａの合成）
ｍ−クレゾール／ｐ−クレゾールを６／４の比率で混ぜた混合クレゾール１００重量部に対し、アニリン２０重量部、３７重量％ホルムアルデヒド４５重量部、蓚酸１．８重量部の割合で仕込み、反応温度９０℃で４時間反応させた。このアニリン変成樹脂Ａの分子量はボリスチレン換算で１，８００であつた。
合成例２（アニリン変成樹脂Ｂの合成）
混合クレゾール１００重量部に代えて、ｏ−クレゾール１００重量部を用いる外は合成例１と同様にして、アニリン変成樹脂Ｂを得た。
【００２４】
参考例１〜３
ｍ、ｐ−クレゾールノボラック樹脂（ｍ−クレゾール／ｐ−クレゾール＝６／４、ポリスチレン換算重量平均分子量１０，０００）、感光剤として２，３，４−トリハイドロキシベンゾフェノン−ｏ−ナフトキノン−１，２−ジアジドスルホン酸トリエステル、合成例１で得られたアニリン変性樹脂Ａを各々表１の比率でプロピレングリコールモノメチルエーテルアセテートに溶解した後、テフロン（登録商標）製の０．２μｍメンブランフィルターでろ過し、本発明のポジ型フォトレジスト組成物を調製した。
この組成物をＩＴＯ膜付き４インチシリコンウェハー上に回転塗布し、１００℃、９０秒間ホットプレートにてべークし、１．５μｍ厚のレジスト膜を得た。このレジスト膜にＧＣＡ社製ｇ線ステッパー（ＤＳＷ６４００、ＮＡ＝０．４２）にて露光を行った後、０．９重量％水酸化カリウム水溶液により、６０秒間現像を行い、パターンの形成を行った。ここで得られたパターンをマスクとして、塩酸と塩化第二鉄の混合液によりエッチングを行い、シリコンウェハー上にレジスト付きＩＴＯのパターンを形成した。ここでエッチング時間は、レジストが塗布されていないＩＴＯ基板をエッチング液に浸漬し、ＩＴＯ膜が完全にエッチングされて取り除かれる時間、すなわちジャストエッチ時間とした。エッチング後、走査型電子顕微鏡（ＳＥＭ）にて５μｍのラインパターンの形状の観察を行った。
また、一般に現像後、ポストベークを行うと基板との密着性が向上する。そこで、現像後エッチング前に１３０℃、３分間のポストベークを行った後に、前記同様エッチング処理を行い、ＳＥＭにてラインパターンの形状を観察した。
結果を表１に示す。アニリン変成樹脂の添加により、ポストベークを行わなくてもアンダーカットを低減することができるあるいはアンダーカットをほとんどなくすことができること、またポストベークを行なうことにより、確実にアンダーカットをなくすことができることが分かる。
【００２５】
比較例１
アニリン変性樹脂を添加しないことを除き参考例１を繰り返し行い、エッチング後のラインパターンの形状を観察した。結果を表１に示す。現像後ポストベークを行わない場合には、大きなアンダーカットが観察された。また現像後ポストベークを行った場合にも、アンダーカットは低減されたものの、なくすことはできなかった。
【００２６】
【表１】
0003974718.tif 000003
【００２７】
参考例４〜６
参考例１〜３で得られたフォトレジスト組成物を用い、参考例１〜３と同様にしてパターンの形成を行った。パターン形成後各々のパターンを参考例１〜３と同様にしてエッチングした後、剥離液としてリムーバー１００（クラリアントジャパン社製）を用い、３５℃で浸積法にて３００秒間レジストの剥離処理をした。また、現像後に１３０、１５０、１７０℃の温度で各々５分間のポストベークを行った以外は同様にして剥離処理を行った。これらの結果を、表２に示す。ポストベークを行わない場合および現像後に１３０、１５０、１７０℃の温度で各々５分間のポストベークを行った後場合のいずれにおいても、フォトレジストは溶解しながら剥離された。
【００２８】
比較例２
比較例１と同様にフォトレジスト組成物を調製し、同様にパターン形成を行った。参考例４と同様に、エッチング後、剥離処理を行った結果、および現像後各１３０、１５０、１７０℃のポストベークを行った後、エッチング、剥離処理を行った結果を表２に示す。ポストベークを行った場合は所定時間内に剥離されず、剥離時間を延長すると、溶解しながらではなく剥がれるように剥離された。
【００２９】
【表２】
0003974718.tif 000004
【００３０】
実施例１
ｍ、ｐ−クレゾールノボラック樹脂                          １００重量部
（ｍ−クレゾール／ｐ−クレゾール＝６／４、
ポリスチレン換算重量平均分子量４０００）
エトキシメチル化ベンゾグアナミン樹脂                        ２５重量部
２，４，６−トリス（トリクロロメチル）トリアジン              ３重量部
合成例１のアニリン変性樹脂Ａ                                ２０重量部
水酸化テトラブチルアンモニウム                            ０．５重量部
をプロピレングリコールモノメチルエーテルアセテートに溶解した後、テフロン製の０．２μｍメンブランフィルターでろ過し、ネガ型フォトレジスト組成物を調製した。
【００３１】
この組成物をＩＴＯ膜付き４インチシリコンウェハー上に回転塗布し、１００℃、９０秒間ホットプレートにてべ一ク後、１．５μｍ厚のレジスト膜を得た。このレジスト膜にＧＣＡ社製ｇ線ステッパー（ＤＳＷ６４００，ＮＡ＝０．４２）にて露光を行った後、１３０℃で９０秒間ＰＥＢ（ポスト・エクスポージャー・ベーク）を行い、２．３８重量％水酸化テトラメチルアンモニウム水溶液により６０秒間現像を行い、パターンの形成を行った。また、ここで得られたパターンをマスクとして、塩酸と塩化第二鉄の混合液によりエッチングを行い、シリコンウェハー上にレジスト付きＩＴＯのパターンを形成した。エッチングの前後に、走査型電子顕微鏡（ＳＥＭ）にて５μｍのラインパターンの形状を観察したところ、アンダーカットのほとんどない良好なパターンが観察された。また、現像後に１４０℃、３分間のポストベーク処理を行った場合はさらに良好なパターンが観察された。
次に、形成したパターンを剥離液であるリムーバー１００（クラリアントジャパン社製）を用い、２３℃で浸積法にて６０秒間レジストの剥離処理をしたところ、溶解しながら剥離された。また、現像後に１４０℃、３分間のポストベークを行った後、同様に剥離処理を行ってもフォトレジストは溶解しながら剥離された。
【００３２】
実施例２
合成例２で得られたアニリン変成樹脂Ｂを用いる以外は実施例１と同様にしてフォトレジストを調整し、ラインパターンの形成、エッチング、エッチング前後のラインパターンの形状の観察を行った。
また、実施例１同様に、形成したパターンの剥離処理をしたところ、溶解しながら、剥離された。
また、現像後に１４０℃、３分間のポストベークを行った後、同様に剥離処理を行ってもフォトレジストは溶解しながら剥離された。
【００３３】
比較例３
アニリン変成樹脂を添加しないこと以外は実施例１と同様にしてフォトレジスト組成物を調整し、同様にラインパターンの形成、エッチング、エッチング前後のラインパターンの形状を観察を行ったところ、大きなアンダーカットが観察された。また実施例１同様、現像後にポストベークを行っても、アンダーカットを完全に抑制することはできなかった。
さらに、実施例１同様、形成したラインパターンを剥離処理したところ、剥離することができなかった。剥離時間を延長すると、剥がれるように剥離され、未溶解フォトレジスト残渣が浮遊していた。
以上の実施例１、２および比較例３結果をまとめ、表３に示す。
【００３４】
【表３】
0003974718.tif 000005
【００３５】
【発明の効果】
本発明は、良好なパターンを形成することができ、また特に基板に対する高い密着性を有し、かつ剥離液により剥がれ型の剥離ではなく、溶解剥離により容易に除去することができる感放射線性樹脂を提供することができ、この感放射線性樹脂組成物は半導体デバイスや液晶表示の製造において好適に使用することができる。